(57)【特許請求の範囲】
【請求項１】
コンテンツ録画再生システムであって、
番組・コンテンツを蓄積し、表示装置に番組・コンテンツを再生するコンテンツ録画再生装置と、
番組ＩＤ、番組・コンテンツ又は放送局に関する関連情報、投稿されたメッセージ、前記関連情報か前記メッセージかを示す情報種別、時刻情報、を含むメタ情報を、取得及び蓄積し、前記コンテンツ録画再生装置にメタ情報を配信するメタ情報配信サーバーと、
前記関連情報及び前記メッセージを蓄積するＳＮＳ又は番組サイトと、
を備え、
前記メタ情報配信サーバーは、番組名及び放送開始日時を含む番組情報を取得し、
前記メタ情報配信サーバーは、取得した番組情報から、ひとつ又は複数の番組キーワードを抽出し、
前記メタ情報配信サーバーは、前記ＳＮＳ又は番組サイトへ、番組情報内の番組名に対応する番組ＩＤと、抽出したひとつ又は複数の番組キーワードとを含むメタ情報問合せを送信し、
前記ＳＮＳ又は番組サイトは、メタ情報問合わせに含まれるひとつ又は複数の番組キーワードに基づき、前記関連情報及び／又は前記メッセージを検索し、
前記メタ情報配信サーバーは、放送前には、前記ＳＮＳ又は番組サイトから、番組ＩＤとひとつ又は複数の前記関連情報とを含む関連情報応答を受信し、及び、関連情報のメタ情報として、受信した関連情報応答に含まれる番組ＩＤとひとつ又は複数の前記関連情報とを含め、情報種別に関連情報を表す識別子、時刻情報に予め定めた値、を設定し、関連情報のメタ情報を保存し、
前記メタ情報配信サーバーは、放送中又は放送後には、前記ＳＮＳ又は番組サイトから、番組ＩＤとひとつ又は複数の前記メッセージとを含むメッセージ応答を受信し、及び、メッセージのメタ情報として、受信した前記メッセージ応答に含まれる番組ＩＤとひとつ又は複数の前記メッセージとを含め、前記メッセージに付加される前記メッセージの投稿時刻と放送開始日時の差の時間を時刻情報に設定し、情報種別にメッセージを表す識別子を設定し、メッセージのメタ情報を追加保存し、
端末又は前記コンテンツ録画再生装置が、番組・コンテンツ再生操作をすると、前記コンテンツ録画再生装置は、番組ＩＤと番組の最初からの相対時刻である再生開始時刻とを含むメタ情報要求を前記メタ情報配信サーバーに送信し、
前記メタ情報配信サーバーは、メタ情報要求に従い、番組ＩＤに対応し、再生開始時刻及び該再生開始時刻から所定時間又は放送終了時刻までの関連情報のメタ情報及びメッセージのメタ情報を抽出し、
前記メタ情報配信サーバーは、抽出された関連情報のメタ情報及びメッセージのメタ情報を、前記コンテンツ録画再生装置に送信し、
前記コンテンツ録画再生装置は、抽出された関連情報のメタ情報及びメッセージのメタ情報を受信し、再生映像とともに、関連情報のメタ情報中の前記関連情報を表示装置へ表示し、メッセージのメタ情報中の前記メッセージを時刻情報に応じて再生画像に同期させて表示装置へ表示し、
再生している映像に対して追加のメッセージを発信する場合、前記端末は、前記コンテンツ録画再生装置に、番組ＩＤと番組の最初からの相対時刻である再生開始時刻が含まれる追加メッセージを送信し、
前記コンテンツ録画再生装置は、追加のメタ情報として、受信した追加メッセージに含まれる番組ＩＤと追加のメッセージを設定し、情報種別にメッセージを表す識別子、時刻情報をメッセージに含まれる番組の最初からの相対時刻である再生開始時刻、を設定し、追加のメタ情報を前記メタ情報配信サーバーに送信し、
前記メタ情報配信サーバーでは、追加のメタ情報を受信すると、追加のメタ情報に含まれる番組ＩＤに対応するメタ情報として追加保存する、
コンテンツ録画再生システム。
【請求項２】
請求項１に記載のコンテンツ録画再生システムにおいて、
さらに、前記コンテンツ録画再生装置は、抽出されたメタ情報を前記端末へ送信する、又は、再生画像とともに抽出されたメタ情報を送信し、
前記端末は、抽出された番組メタ情報を受信し、再生画像無しで又は再生画像とともに、メタ情報中の前記関連情報を表示部へ表示し、メタ情報中の前記メッセージを時刻情報に応じて再生画像に同期させて表示部へ表示する
ことを特徴とするコンテンツ録画再生システム。
【請求項３】
請求項１又は２に記載のコンテンツ録画再生システムにおいて、
番組・コンテンツおよび番組情報を蓄積し、前記コンテンツ録画再生装置に番組・コンテンツを配信し、前記メタ情報配信サーバーに番組情報を配信するコンテンツ配信サーバーをさらに備えたことを特徴とするコンテンツ録画再生システム。
【請求項４】
請求項１乃至３のいずれかに記載のコンテンツ録画再生システムにおいて、
前記番組情報は、さらに、放送局名、出演者、番組の内容を含み、
前記メタ情報配信サーバーは、前記番組情報から、番組名、放送局名と放送開始日時、出演者、及び／又は、番組内容に含まれる単語、を抽出することにより、前記番組キーワードを作成することを特徴とするコンテンツ録画再生システム。
【請求項５】
請求項１乃至４のいずれかに記載のコンテンツ録画再生システムにおいて、
前記関連情報は、番組・コンテンツサイト、放送局サイト、又は、ホームページアドレスであり、
前記メッセージは、ＳＮＳに投稿されたメッセージであることを特徴とするコンテンツ録画再生システム。
【請求項６】
請求項１乃至５のいずれかに記載のコンテンツ録画再生システムにおいて、
前記メタ情報配信サーバーは、
メタ情報ヘッダと、各番組に関するひとつ又は複数のメタ情報を含む番組メタ情報を記憶し、
メタ情報ヘッダは、番組ＩＤ、放送開始日時、メタ情報個数を含み、
メタ情報は、番組ＩＤ、前記関連情報か前記メッセージかを示す情報種別、開始時刻、終了時刻、メッセージのテキスト情報、関連情報のリンク先を含む
ことを特徴とするコンテンツ録画再生システム。
【請求項７】
請求項６に記載のコンテンツ録画再生システムにおいて、
前記メタ情報配信サーバーは、前記関連情報について、次のようにメタ情報を設定すること、
・番組ＩＤは、関連情報応答に含まれる番組ＩＤ、又は、番組情報の番組名に基づき対応テーブルにより得た番組ＩＤ、
・情報種別は、「関連情報」を表す識別子、
・開始時刻及び終了時刻は、予め定めた値、
・テキスト情報は、ブランク又はホームページに予め定められたテキスト内容、
・関連情報のリンク先は、ホームページアドレス、
及び、
前記メタ情報配信サーバーは、メタ情報ヘッダのメタ情報個数をカウントして設定する
ことを特徴とするコンテンツ録画再生システム。
【請求項８】
請求項６又は７に記載のコンテンツ録画再生システムにおいて、
前記メタ情報配信サーバーは、前記メッセージについて、次のようにメタ情報を設定すること、
・番組ＩＤは、メッセージ応答に含まれる番組ＩＤ、又は、番組情報の番組名に基づき対応テーブルにより得た番組ＩＤ、
・情報種別は、「メッセージ」を表す識別子、
・開始時刻は、そのメッセージが投稿された時刻と放送開始日時の差の時間、
・終了時刻は、予め定めた値、
・テキスト情報は、メッセージの内容、
・関連情報のリンク先は、メッセージ中に記述がある場合はその情報
及び、
前記メタ情報配信サーバーは、メタ情報ヘッダのメタ情報個数をカウントアップする
ことを特徴とするコンテンツ録画再生システム。
【請求項９】
請求項１に記載のコンテンツ録画再生システムにおいて、
番組メタ情報は、メタ情報ヘッダと、各番組に関するひとつ又は複数のメタ情報を含み、
メタ情報ヘッダは、番組ＩＤ、放送開始日時、メタ情報個数を含み、
メタ情報は、番組ＩＤ、前記関連情報か前記メッセージかを示す情報種別、開始時刻、終了時刻、メッセージのテキスト情報、関連情報のリンク先を含むものであって、
前記コンテンツ録画再生装置は、追加メッセージについて、次のようにメタ情報を設定すること、
・番組ＩＤは、メッセージに含まれる番組ＩＤ、
・情報種別は、「メッセージ」を表す識別子、
・開始時刻は、メッセージに含まれる再生開始時刻、
・終了時刻は、予め定めた値、
・テキスト情報は、メッセージの内容、
・関連情報のリンク先は、メッセージ中に記述がある場合はその情報
及び、
前記メタ情報配信サーバーは、前記コンテンツ録画再生装置から受信したメタ情報を追加保存し、メタ情報ヘッダのメタ情報個数をカウントアップする
ことを特徴とするコンテンツ録画再生システム。
【請求項１０】
請求項１乃至９のいずれかに記載のコンテンツ録画再生システムにおいて、
前記メタ情報要求は、さらに、１回の伝送に送信できる量を表す最大容量を含み、
前記メタ情報配信サーバーは、最大容量に従い、１回又は複数回で、メタ情報を送信することを特徴とするコンテンツ録画再生システム。
【請求項１１】
番組・コンテンツを蓄積し、表示装置に番組・コンテンツを再生するコンテンツ録画再生装置と、
番組ＩＤ、番組・コンテンツ又は放送局に関する関連情報、投稿されたメッセージ、前記関連情報か前記メッセージかを示す情報種別、時刻情報、を含むメタ情報を、取得及び蓄積し、前記コンテンツ録画再生装置にメタ情報を配信するメタ情報配信サーバーと、
前記関連情報及び前記メッセージを蓄積するＳＮＳ又は番組サイトと、
を備えたコンテンツ録画再生システムにおけるコンテンツ録画再生方法であって、
前記メタ情報配信サーバーは、番組名及び放送開始日時を含む番組情報を取得し、
前記メタ情報配信サーバーは、取得した番組情報から、ひとつ又は複数の番組キーワードを抽出し、
前記メタ情報配信サーバーは、前記ＳＮＳ又は番組サイトへ、番組情報内の番組名に対応する番組ＩＤと、抽出したひとつ又は複数の番組キーワードとを含むメタ情報問合せを送信し、
前記ＳＮＳ又は番組サイトは、メタ情報問合わせに含まれるひとつ又は複数の番組キーワードに基づき、前記関連情報及び／又は前記メッセージを検索し、
前記メタ情報配信サーバーは、放送前には、前記ＳＮＳ又は番組サイトから、番組ＩＤとひとつ又は複数の前記関連情報とを含む関連情報応答を受信し、及び、関連情報のメタ情報として、受信した関連情報応答に含まれる番組ＩＤとひとつ又は複数の前記関連情報とを含め、情報種別に関連情報を表す識別子、時刻情報に予め定めた値、を設定し、関連情報のメタ情報を保存し、
前記メタ情報配信サーバーは、放送中又は放送後には、前記ＳＮＳ又は番組サイトから、番組ＩＤとひとつ又は複数の前記メッセージとを含むメッセージ応答を受信し、及び、メッセージのメタ情報として、受信した前記メッセージ応答に含まれる番組ＩＤとひとつ又は複数の前記メッセージとを含め、前記メッセージに付加される前記メッセージの投稿時刻と放送開始日時の差の時間を時刻情報に設定し、情報種別にメッセージを表す識別子を設定し、メッセージのメタ情報を追加保存し、
端末又は前記コンテンツ録画再生装置が、番組・コンテンツ再生操作をすると、前記コンテンツ録画再生装置は、番組ＩＤと番組の最初からの相対時刻である再生開始時刻とを含むメタ情報要求を前記メタ情報配信サーバーに送信し、
前記メタ情報配信サーバーは、メタ情報要求に従い、番組ＩＤに対応し、再生開始時刻及び該再生開始時刻から所定時間又は放送終了時刻までの関連情報のメタ情報及びメッセージのメタ情報を抽出し、
前記メタ情報配信サーバーは、抽出された関連情報のメタ情報及びメッセージのメタ情報を、前記コンテンツ録画再生装置に送信し、
前記コンテンツ録画再生装置は、抽出された関連情報のメタ情報及びメッセージのメタ情報を受信し、再生映像とともに、関連情報のメタ情報中の前記関連情報を表示装置へ表示し、メッセージのメタ情報中の前記メッセージを時刻情報に応じて再生画像に同期させて表示装置へ表示し、

再生している映像に対して追加のメッセージを発信する場合、前記端末は、前記コンテンツ録画再生装置に、番組ＩＤと番組の最初からの相対時刻である再生開始時刻が含まれる追加メッセージを送信し、
前記コンテンツ録画再生装置は、追加のメタ情報として、受信した追加メッセージに含まれる番組ＩＤと追加のメッセージを設定し、情報種別にメッセージを表す識別子、時刻情報をメッセージに含まれる番組の最初からの相対時刻である再生開始時刻、を設定し、追加のメタ情報を前記メタ情報配信サーバーに送信し、
前記メタ情報配信サーバーでは、追加のメタ情報を受信すると、追加のメタ情報に含まれる番組ＩＤに対応するメタ情報として追加保存する、
コンテンツ録画再生方法。
【発明の詳細な説明】
【技術分野】
【０００１】
本発明は、コンテンツ録画再生システム及び方法に係る。
【背景技術】
【０００２】
昨今は、スマートフォン等の携帯端末の普及により、あらゆる場所で手軽にインターネットへのアクセスが可能となっている。特に、ソーシャル・ネットワーク・サービス（ＳＮＳ）で提供される「メッセージ機能」は、短い文章であたかも会話をしているかのように多くの人々とやり取りが出来るため、スマートフォン等の携帯端末の普及と共に使用者が増え続けている。
これらのメッセージ機能は、リアルタイム性が高く、テレビ番組を見ながら感想や関連した情報を発信するユーザーも多い。テレビ番組に関連したメッセージを集め、番組ごとにメッセージを表示するようなアプリケーションも数多く存在し、最近はテレビで映像の横にこれらのメッセージを表示するようなものもある（ＳＯＮＹ製ゲーム機Ｐｌａｙｓｔａｔｉｏｎ３（登録商標）に対応したテレビチューナー「Ｔｏｒｎｅ」などで行っているサービス等）。
【０００３】
従来技術として、テレビ番組を視聴している全ユーザのうち、テレビ番組の内容に関連するキーワードを検索したユーザのみをテレビ番組を実際に視聴した視聴者としてカウントしてテレビ番組の視聴行動率を算出する技術が記載されている（特許文献１）。
また、コンテンツの視聴を支援するシステムには、同じ属性情報をもったユーザーの視聴履歴や機器操作情報を利用して、多数の保存されたコンテンツ内のどの番組を視聴するかを支援するシステムが提案されている（特許文献２）。
【先行技術文献】
【特許文献】
【０００４】
【特許文献１】特許第４７１４７６６号公報
【特許文献２】特開２００５−０３３６００号公報
【発明の概要】
【発明が解決しようとする課題】
【０００５】
しかしながら、従来、上述のようなメッセージ等の表示サービスを楽しめるのは、リアルタイムにテレビを見ている人だけであり、録画した番組を見ている人には享受されないサービスである。
本発明は、以上の点に鑑み、録画番組を見ている（録画再生視聴している人）人に対しても、リアルタイム放送を見ている人と同じような感覚で、メッセージ機能を使用出来て、その状況を表示出来るようなコンテンツ録画再生システム及び方法を提供することを目的とする。
【課題を解決するための手段】
【０００６】
本発明の第１の解決手段によると、
コンテンツ録画再生システムであって、
番組・コンテンツを蓄積し、表示装置に番組・コンテンツを再生するコンテンツ録画装置と、
番組ＩＤ、番組・コンテンツ又は放送局に関する関連情報、投稿されたメッセージ、前記関連情報か前記メッセージかを示す情報種別、時刻情報、を含むメタ情報を、取得及び蓄積し、前記コンテンツ録画装置にメタ情報を配信するメタ情報配信サーバーと、
前記関連情報及び前記メッセージを蓄積するＳＮＳ又は番組サイトと、
を備え、
前記メタ情報配信サーバーは、番組名及び放送開始日時を含む番組情報を取得し、
前記メタ情報配信サーバーは、取得した番組情報から、ひとつ又は複数の番組キーワードを抽出し、
前記メタ情報配信サーバーは、前記ＳＮＳ又は番組サイトへ、番組情報内の番組名に対応する番組ＩＤと、抽出したひとつ又は複数の番組キーワードとを含むメタ情報問合せを送信し、
前記ＳＮＳ又は番組サイトは、メタ情報問合わせに含まれるひとつ又は複数の番組キーワードに基づき、前記関連情報及び／又は前記メッセージを検索し、
前記関連情報が検索された場合、前記ＳＮＳ又は番組サイトは、番組ＩＤとひとつ又は複数の前記関連情報とを含む関連情報応答を作成し、前記メタ情報配信サーバーへ送信し、及び、前記メタ情報配信サーバーは、受信した関連情報応答に含まれる、ひとつ又は複数の前記関連情報をメタ情報として番組ＩＤに対応して保存し、
前記メッセージが検索された場合、前記ＳＮＳ又は番組サイトは、番組ＩＤとひとつ又は複数の前記メッセージとを含む前記メッセージ応答を作成し、前記メタ情報配信サーバーへ送信し、及び、前記メタ情報配信サーバーは、受信した前記メッセージ応答に含まれる、前記メッセージに付加される前記メッセージの投稿時刻に基づき時刻情報を計算し、計算された時刻情報と、ひとつ又は複数の前記メッセージをメタ情報として番組ＩＤに対応して追加保存し、
端末又は前記コンテンツ録画再生装置が、番組・コンテンツ再生操作をすると、前記コンテンツ録画再生装置は、再生開始要求内の番組ＩＤと再生開始時刻とを含むメタ情報要求を前記メタ情報配信サーバーに送信し、
前記メタ情報配信サーバーは、メタ情報要求に従い、番組ＩＤに対応し、再生開始時刻及び該再生開始時刻から所定時間又は放送終了時刻までのメタ情報を抽出し、
前記メタ情報配信サーバーは、抽出されたメタ情報を、前記コンテンツ録画再生装置に送信し、
前記コンテンツ録画再生装置は、抽出されたメタ情報を受信し、再生映像とともに、メタ情報中の前記関連情報を表示装置へ表示し、メタ情報中の前記メッセージを時刻情報に応じて再生画像に同期させて表示装置へ表示する
コンテンツ録画再生システムが提供される。
【０００７】
本発明の第２の解決手段によると、
番組・コンテンツを蓄積し、表示装置に番組・コンテンツを再生するコンテンツ録画装置と、
番組ＩＤ、番組・コンテンツ又は放送局に関する関連情報、投稿されたメッセージ、前記関連情報か前記メッセージかを示す情報種別、時刻情報、を含むメタ情報を、取得及び蓄積し、前記コンテンツ録画装置にメタ情報を配信するメタ情報配信サーバーと、
前記関連情報及び前記メッセージを蓄積するＳＮＳ又は番組サイトと、
を備えたコンテンツ録画再生システムにおけるコンテンツ録画再生方法であって、
前記メタ情報配信サーバーは、番組名及び放送開始日時を含む番組情報を取得し、
前記メタ情報配信サーバーは、取得した番組情報から、ひとつ又は複数の番組キーワードを抽出し、
前記メタ情報配信サーバーは、前記ＳＮＳ又は番組サイトへ、番組情報内の番組名に対応する番組ＩＤと、抽出したひとつ又は複数の番組キーワードとを含むメタ情報問合せを送信し、
前記ＳＮＳ又は番組サイトは、メタ情報問合わせに含まれるひとつ又は複数の番組キーワードに基づき、前記関連情報及び／又は前記メッセージを検索し、
前記関連情報が検索された場合、前記ＳＮＳ又は番組サイトは、番組ＩＤとひとつ又は複数の前記関連情報とを含む関連情報応答を作成し、前記メタ情報配信サーバーへ送信し、及び、前記メタ情報配信サーバーは、受信した関連情報応答に含まれる、ひとつ又は複数の前記関連情報をメタ情報として番組ＩＤに対応して保存し、
前記メッセージが検索された場合、前記ＳＮＳ又は番組サイトは、番組ＩＤとひとつ又は複数の前記メッセージとを含む前記メッセージ応答を作成し、前記メタ情報配信サーバーへ送信し、及び、前記メタ情報配信サーバーは、受信した前記メッセージ応答に含まれる、前記メッセージに付加される前記メッセージの投稿時刻に基づき時刻情報を計算し、計算された時刻情報と、ひとつ又は複数の前記メッセージをメタ情報として番組ＩＤに対応して追加保存し、
端末又は前記コンテンツ録画再生装置が、番組・コンテンツ再生操作をすると、前記コンテンツ録画再生装置は、再生開始要求内の番組ＩＤと再生開始時刻とを含むメタ情報要求を前記メタ情報配信サーバーに送信し、
前記メタ情報配信サーバーは、メタ情報要求に従い、番組ＩＤに対応し、再生開始時刻及び該再生開始時刻から所定時間又は放送終了時刻までのメタ情報を抽出し、
前記メタ情報配信サーバーは、抽出されたメタ情報を、前記コンテンツ録画再生装置に送信し、
前記コンテンツ録画再生装置は、抽出されたメタ情報を受信し、再生映像とともに、メタ情報中の前記関連情報を表示装置へ表示し、メタ情報中の前記メッセージを時刻情報に応じて再生画像に同期させて表示装置へ表示する
コンテンツ録画再生方法が提供される。
【０００８】
なお、本発明及び本実施の形態では、「番組」を「コンテンツ」、「番組・コンテンツ」等と呼ぶ場合があり、これらは同義とすることができる。
【発明の効果】
【０００９】
本発明によると、録画番組を見ている（録画再生視聴している人）人に対しても、リアルタイム放送を見ている人と同じような感覚で、メッセージ機能を使用出来て、その状況を表示出来るようなコンテンツ録画再生システム及び方法を提供することができる。
【図面の簡単な説明】
【００１０】
【図１】テレビ画面と同期したメッセージ表示機能についての説明図。
【図２】コンテンツ録画再生システムの構成図。
【図３】番組関連のメタ情報の保存処理についてのフローチャート。
【図４】コンテンツ再生時のメタ情報表示処理についてのフローチャート。
【図５】番組（コンテンツ）情報８のフォーマットの説明図。
【図６】番組キーワード情報９のフォーマットの説明図。
【図７】番組キーワードヘッダ９１０のフォーマットの説明図。
【図８】番組メタ情報１０のフォーマットの説明図。
【図９】メタ情報ヘッダ１０１０のフォーマットの説明図。
【図１０】メタ情報１０２０のフォーマットの説明図。
【図１１】メタ情報要求１１のフォーマットの説明図。
【図１２】対応テーブルのフォーマットの説明図。
【図１３】メタ情報配信サーバー６の構成図。
【図１４】番組関連のメタ情報の保存処理の他の実施の形態についてのフローチャート。
【発明を実施するための形態】
【００１１】
１．コンテンツ録画再生システム
［システム構成］
図２に、コンテンツ録画再生システムの構成図を示す。
コンテンツ録画再生システムは、コンテンツ録画再生装置１、表示装置２、無線端末３、コンテンツ配信サーバー５、メタ情報配信サーバー６、ネットワーク４、ＳＮＳや番組サイト７を備える。
ネットワーク４は、光回線などのブロードバンド回線やインターネットなどの適宜の有線ネットワーク、又は、放送局からの無線電波を伝達する空間、放送網や無線回線などの適宜の無線ネットワーク、又は、有線ネットワークと無線ネットワークの両方を含む適宜のネットワーク等により構成される。
コンテンツ配信サーバー５は、ネットワーク４に接続され、コンテンツおよびコンテンツ特定情報（放送局名・ＩＤ、番組名・ＩＤ、放送開始日時等）を配信する。コンテンツ配信サーバー５は、一般的なテレビ、ラジオ放送等を行う放送局や、ケーブルテレビ、インターネット等による放送等番組、コンテンツ等を放送、配信する各種の装置を含む。
メタ情報配信サーバー６は、コンテンツに関するメタ情報を集め、蓄積する。メタ情報配信サーバー６は、ネットワーク４により、コンテンツ録画再生装置１にメタ情報を配信する。メタ情報はコンテンツ配信サーバー５のコンテンツごとに分類され、個々のメタ情報にはそのコンテンツのどの時点に関する情報かを示すための開始からの時間が記録されている。また、メタ情報配信サーバー６は、コンテンツ録画再生装置１から録画情報や録画コンテンツの再生記録を受信し、装置ごとに分類して蓄積する。
ＳＮＳ（Ｓｏｃｉａｌ  Ｎｅｔｗｏｒｋ  Ｓｅｒｖｉｃｅ）や番組サイト７は、個人やコンテンツ配信会社等のユーザーが、インターネット等のネットワークを介し、ＰＣや携帯端末等の無線端末３から参照出来るようにしているネットワークサービスで、番組サイト、放送局サイト、ホームページアドレス等コンテンツに対する詳細な関連情報や、個人の感想やコメントなどを投稿したメッセージが内部メモリに記憶されている。これらの関連情報やメッセージには、放送開始日時や終了日時、メッセージが発信された日時等が内部メモリに記録されている。なお、ＳＮＳや番組サイト７は、複数設けられていてもよい。
【００１２】
コンテンツ録画再生装置１は、コントローラー１１、メモリ部１２、ネットワーク通信部１３、表示制御部１４、無線通信部１５、操作部１６を備える。コンテンツ録画再生装置１は、ネットワーク４に接続され、コンテンツやメタ情報等の各種情報を受信し、それらを内部に蓄積し、ユーザーの操作により蓄積したコンテンツを再生する事が出来る。コンテンツ録画再生装置１は、ユーザーの操作により、表示装置２に、コンテンツやメタ情報等の各種情報を表示することが出来る。さらに、コンテンツ録画再生装置１は、無線端末３との通信インターフェースを持っている。
無線端末３は、コントローラー３１、メモリ部３２、ネットワーク通信部３３、表示部３４、無線通信部３５、操作部３６を備える。無線端末３としては、例えば、スマートフォンやタブレット端末、携帯電話等を用いることができる。無線端末３は、コンテンツ録画再生装置１と無線通信回線で接続され、再生中のコンテンツに関するメタ情報や再生中のメッセージ等の情報を受信したり、操作内容等の情報を送信することが出来る。また、無線端末３は、ネットワーク４を介して、ＳＮＳや番組サイト７を参照することが出来る。
【００１３】
メタ情報配信サーバー６やＳＮＳや番組サイト７上には、「番組後メタデータ（放送内容、放送時間ごとに細分されたあらすじ、出演者、お店情報など関連キーワードなど）」、「ＣＭデータ（番組中に放送されているＣＭの詳細情報）」、「ネット上の関連情報（放送局の関連コンテンツ、ＳＮＳやブログなどの個人が発信した情報など）」を蓄積されている。メタ情報配信サーバー６には、これらに加え、「リアルタイム視聴率データ」「録画率」「再生率」等が、メタ情報として蓄積されている。
メタ情報配信サーバー６と家庭内等の設置場所にあるＡＶ機器、接続されたコンテンツ録画再生装置１とは、ネットワーク（インターネット等）６を介して接続され、「録画リスト」「録画番組再生情報」が随時送信され、メタ情報配信サーバー６からは「録画／再生対象番組に関わるメタデータ」と「その番組のリアルタイム視聴率」「録画率」「再生率」のデータが送信される。メタデータや再生率は放送終了後、刻々と変化（追加）されるデータであるため、周期的にデータを送信し、ユーザーは最新情報を常に確認可能なシステムとしている。
また、コンテンツ録画再生装置１と、スマートフォンやタブレット端末等の無線端末３とはネットワークで接続されており、メタデータのやり取りを可能とする。モバイル端末等の無線端末３は、外出先等で直接インターネットへの接続も可能とする。
【００１４】
図１３に、メタ情報配信サーバー６の構成図を示す。
メタ情報配信サーバー６は、処理部６１、蓄積部６２、通信部６３を備える。蓄積部６２は、番組情報（コンテンツ情報）８、番組メタ情報１０、対応テーブル１２、メタ情報要求１１を記憶する。蓄積部６２に記憶される情報等については、後述する。
【００１５】
［メタ情報配信サーバーでのメタ情報の作成について］
メタ情報には、いわゆる、放送前の前メタデータと放送後の後メタデータを含むことができる。
メタ情報とは、例えば、コンテンツの番組名、内容、出演者、放送時刻などの番組全体についての情報、番組内でのコーナーやシーンの名称や内容とそれらの放送時刻などの番組の構成に関する情報、各コーナーやシーンで紹介された店や商品の名称やＵＲＬなどの番組内容に関する付加情報、番組に関して個人や企業が作成したホームページの名称とＵＲＬや、番組全体または各コーナー／シーンに対して個人が投稿したコメントとそのＵＲＬなどを指す。
コンテンツ録画再生装置１等は、メタ情報を、コンテンツ配信サーバー５やＳＮＳや番組サイト７からネットワーク４を介して自動または手動にて受信し、コンテンツ配信サーバー５から送信される番組情報ごとに分類し、蓄積する。
【００１６】
［コンテンツを予約するための番組情報の配信手順］
コンテンツ配信サーバー５は、今後配信される番組の情報（番組情報）をネットワーク４に配信する。この番組情報には、例えば、デジタル放送のＳＩ（Ｓｅｒｖｉｃｅ  Ｉｎｆｏｒｍａｔｉｏｎ）情報のようなものが使われる。コンテンツ録画再生装置１は、この番組情報を取得し、メモリ部１２に蓄積することが出来る。
【００１７】
［コンテンツを蓄積する手順］
コンテンツ録画再生装置１は、コンテンツ配信サーバー５からネットワーク４を通じて配信された番組をネットワーク通信部１３を介して、メモリ部１２に蓄積することが出来る。メモリ部１２は、ＳＤメモリなどの不揮発メモリ、ハードディスク装置、ＤＶＤなどがあり、装置に内蔵されたメモリ、または、ＵＳＢやＬＡＮインターフェースを介して外付けメモリとして構成することができる。
コンテンツ録画時には、コンテンツと関連付けられた放送局名、番組名、放送開始日時等の番組情報が保存される。この情報は、図５のように構成されている。
【００１８】
図５に、番組情報／コンテンツ情報８のフォーマットの説明図を示す。
番組情報／コンテンツ情報８は、放送局名８１、番組名８２、放送開始日時８３、放送予定分数８４、ジャンル８５、出演者８６、内容８７を含む。
【００１９】
２．番組関連のメタ情報の保存処理
図３に、番組関連のメタ情報の保存処理についてのフローチャートを示す。
番組関連のメタ情報は、メタ情報配信サーバー６に保存されている。この番組関連のメタ情報の保存処理についての手順を以下に示す。
メタ情報配信サーバー６は、コンテンツ配信サーバー５から配信前又は配信中又は配信後の適宜のタイミングで番組情報（コンテンツ情報）を取得する（Ｓ１０１）。番組情報を取得するには、例えば、次の２つのケースがある。
（ｉ）コンテンツ配信サーバー５から番組情報が周期的に送られる（放送のＥＰＧ等）ケース
（ｉｉ）メタ情報配信サーバー６から、コンテンツ配信サーバー５へリクエストして、番組情報を受け取る（ネットワーク上の動画配信等）ケース
【００２０】
番組情報は、上述のように、番組表などが構成出来るような情報で、上述の図５のように番組名や放送開始日時などの情報から構成されており、コンテンツ配信サーバー５が今後放送する又は放送中又は放送した、ひとつ又は複数の番組についての情報となる。
メタ情報配信サーバー６は、これらの番組情報から、番組キーワードを抽出する（Ｓ１０２）。番組キーワードは、例えばＥＰＧ等で取得出来る、図５に示したような番組情報８の内から、番組名８２や出演者８６、内容８７などの予め定められた適宜のデータから、適宜番組キーワードを抽出する。具体的な検索用の番組キーワードとしては、例えば、「番組名」、「放送局名＋放送開始日時」、「出演者」、「番組内容の一部」（デジタルテレビの番組表で見られるようなもの）等や、これら各情報に含まれる単語を抽出したキーワード等を用いることができる。
【００２１】
メタ情報配信サーバー６は抽出した番組キーワードを、例えば、図６及び図７のように保存する。
図６に、番組キーワード情報９のフォーマットの説明図を示す。
番組キーワード情報９は、番組キーワードヘッダ９１０、ひとつ又は複数の番組キーワード９２０を含む。
【００２２】
番組キーワードヘッダ９１０は、ステップＳ１０１でコンテンツ配信サーバー５から受信した番組情報に含まれる情報（番組名８２、放送開始日時８３等）と、抽出した番組キーワード個数を基に、例えば、図７のように構成される。
図７に、番組キーワードヘッダ９１０のフォーマットの説明図を示す。
番組キーワードヘッダ９１０は、番組ＩＤ９１０２、放送開始日時９１０４、番組キーワード個数９１０５を含む。
ここで、メタ情報配信サーバー６は、図１２のような予め定められた対応テーブルを参照し、番組名を番組ＩＤに変換し、放送局名を放送局ＩＤに変換することができる。
図１２に、対応テーブルのフォーマットの説明図を示す。
対応テーブルは、番組名、番組ＩＤの対応テーブル（ａ）と、放送局名、放送局ＩＤの対応テーブル（ｂ）を含む。
このように番組により固有の番組ＩＤ９１０２を付加する事により、複数のコンテンツ配信サーバーから同一の番組名・番組ＩＤの番組配信にも対応可能となる。
【００２３】
つぎに、メタ情報配信サーバー６は、この番組キーワード９２０を基にＳＮＳや番組サイト７へ、番組キーワードに関連する情報（関連情報及びメッセージ）の問合わせ（メタ情報問合せ）を行う（Ｓ１０３）。このメタ情報問合わせには、番組名又は番組ＩＤと、ひとつ又は複数の番組キーワード９２０を含む。なお、関連情報及びメッセージ検索の際、例えば、放送前後は「番組名／番組ＩＤ」から検索し、放送中は「放送局名」から検索するなど使用するキーワードを場合に応じて変更するようにしてもよい。
【００２４】
ＳＮＳや番組サイト７は、このメタ情報問合わせに含まれるひとつ又は複数の番組キーワードに関連した情報を、関連情報やメッセージが蓄積された内部メモリから抽出する（Ｓ１０４）。ステップＳ１０４を実施する具体的な方法は、番組キーワードに基づき、ホームページを作成するために記述されているＨＴＭＬを解析するなどである。ＳＮＳや番組サイト７では、番組に関連した情報が書き込まれている事を検出して、例えば、その番組サイト、放送局サイト、ホームページアドレスやメッセージを取得するのが（Ｓ１０３〜Ｓ１０５）の動作となる。
関連情報が検索された場合、ＳＮＳや番組サイト７は、番組名又は番組ＩＤと番組キーワードに関連するひとつ又は複数の関連情報を含む関連情報応答を作成し（Ｓ１０４）、メタ情報配信サーバー６へ送信する（Ｓ１０５）。
例えば、次のような例が想定される。すなわち、
放送局などが用意している番組用のサイトや個人のブログなどは、ステップＳ１０２で抽出したキーワードを含んだホームページや掲示板が既に存在している（通常は、番組ＩＤとか再生時間は無い）。ＳＮＳや番組サイト７は、番組キーワードに基づき、これらのインターネット上にある情報を検索して、そのホームページアドレスを関連情報として抽出し、ステップＳ１０５で関連情報を関連情報応答に含めて返信する。
メタ情報配信サーバー６は、受信した関連情報応答に含まれる、抽出されたひとつ又は複数の関連情報を取得し、番組メタ情報１０内のメタ情報１０２０として保存する（Ｓ１０６）。
【００２５】
ここで保存される番組メタ情報１０は、図８のような構成となる。
図８に、番組メタ情報１０のフォーマットの説明図を示す。番組メタ情報１０は、メタ情報ヘッダ１０１０と、各番組に関するメタ情報１０２０を含み、１つの番組に対して１つのメタ情報ヘッダ１０１０と、１つの番組に対して０〜複数個の番組に関するメタ情報１０２０が存在する。
【００２６】
図９に、メタ情報ヘッダ１０１０のフォーマットの説明図を示す。
メタ情報ヘッダ１０１０は、番組ＩＤ１０１０２、放送開始日時１０１０４、メタ情報個数１０１０５を含む。図示のように、メタ情報ヘッダ１０１０は、番組により与えられた固有の番組ＩＤ１０１０２を持ち、同番組の場合は、番組キーワード９のヘッダ部分の番組ＩＤ９１０２と同じものとなる。
【００２７】
図１０に、メタ情報１０２０のフォーマットの説明図を示す。
各メタ情報１０２０は、図１０のように構成される。
メタ情報１０２０は、番組ＩＤ１０２０１、情報種別１０２０２、開始時刻（相対時刻）１０２０３、終了時刻（相対時刻）１０２０４、メタ情報のテキスト情報１０２０５、関連情報リンク先１０２０６を含む。この中の情報種別１０２０２とは、このメタ情報が番組に関連した情報（番組で紹介された店の情報や商品の情報など）や、番組を見ていた視聴者がＳＮＳ上に投稿したメッセージなどの分類が出来るものとなり、ＳＮＳや番組サイト７で設定することができる。開始時刻１０２０３、終了時刻１０２０４は、その番組開始からの相対時刻で番組中のどの部分で使われている情報なのかを示すものである。例えば、情報番組中のあるコーナーで紹介されたお店の情報は、そのコーナーが番組開始から何分後に始まり、何分後に終わったかを示す時刻である。
【００２８】
なお、関連情報のメタ情報１０２０としては、メタ情報配信サーバー６により、例えば、次のようにそれぞれ設定される。
・番組ＩＤ１０２０１は、関連情報応答に含まれる番組ＩＤ、又は、番組情報８の番組名８２に基づき対応テーブルにより得た番組ＩＤ（番組キーワードヘッダ９１０の番組ＩＤ９１０２）、
・情報種別１０２０２は、「関連情報」を表す識別子、
・開始時刻１０２０３、終了時刻１０２０４は、予め定めた値（００００，００，００，００：００等）、
・テキスト情報１０２０５は、ブランク又はホームページに予め定められたテキスト内容等、
・関連情報リンク先１０２０６は、ホームページアドレス
【００２９】
また、メタ情報配信サーバー６は、メタ情報ヘッダ１０１０のメタ情報個数１０１０５をカウントして設定する。
番組が放送前・放送後であれば、メタ情報配信サーバー６はステップＳ１０３に戻り処理を繰り返す（Ｓ１０７）。なお、放送後は、放送前と同様にステップＳ１０３に戻るようにしてもよいし、ステップＳ１０８以降に進むようにしてもよい。
【００３０】
一方、例えば番組が放送中（放送後）等であった場合（Ｓ１０７）、ＳＮＳや番組サイト７は、ステップＳ１０４において、投稿者等から発信された番組に関するメッセージを採取する。
メッセージが検索された場合、ＳＮＳや番組サイト７は、番組名又は番組ＩＤと番組キーワードに関連するひとつ又は複数のメッセージを含むメッセージ応答を作成し（Ｓ１０４）、メタ情報配信サーバー６へ送信する（Ｓ１０８）。メタ情報配信サーバー６は、そのメッセージ応答を取得する（Ｓ１０８）。
【００３１】
ＳＮＳの投稿時刻については、メッセージに、「投稿された年月日時分秒」または「投稿が今から××分前や××時間前」などの時刻情報が付加されている。メタ情報配信サーバー６は、この時刻情報により、番組放送前や放送してから何分後の投稿か、などを判断することができる。
また、ＳＮＳ（ＴｗｉｔｔｅｒやＦａｃｅｂｏｏｋなど）では、番組に関連した内容がショートメッセージとして、投稿されている。ＳＮＳや番組サイト７は、ＳＮＳ内でキーワード検索が出来るため、この機能を使ってメッセージを検索する。
番組キーワードとしては、例えば、関連情報を取得するときと同様に、「番組名」「放送局名＋放送開始日時」「出演者」「番組内容の一部」（デジタルテレビの番組表で見られるようなもの）等や、これら各情報に含まれる単語を抽出したキーワード等を用いることができる。この場合は検索結果自体が複数の投稿内容（メッセージ）となるので、ＳＮＳや番組サイト７は、投稿日時と、投稿内容（メッセージ）自体と、投稿者名を含むメッセージ応答等をステップＳ１０４で抽出する。なお、Ｔｗｉｔｔｅｒの場合は、「放送局」をタグとして付加されているケースが多いので、放送中の番組に対しては、例えば「放送局名」で検索するのが有効である場合が想定される。
【００３２】
メッセージについては、特にメッセージが投稿された時刻が重要となるので、メタ情報配信サーバー６は、ステップＳ１０８で取得した投稿内容（メッセージ）自体と投稿者名に加え、ステップＳ１０９では投稿された時刻と放送開始日時等に基づき開始時刻（相対時刻）１０２０３と終了時刻（相対時刻）１０２０４を計算して、これら時刻を付加してメタ情報を作成し、保存する。
このとき、メタ情報配信サーバー６は、メッセージ応答を受信した場合（メッセージが見つかった場合）、番組メタ情報１０に新たなメタ情報１０２０として追加する。
【００３３】
なお、メッセージのメタ情報１０２０としては、メタ情報配信サーバー６により、例えば、次のようにそれぞれ設定される。
・番組ＩＤ１０２０１は、メッセージ応答に含まれる番組ＩＤ、又は、番組情報８の番組名８２に基づき対応テーブルにより得た番組ＩＤ（番組キーワードヘッダ９１０の番組ＩＤ９１０２）、
・情報種別１０２０２は、「メッセージ」を表す識別子、
・開始時刻１０２０３は、そのメッセージが投稿された時刻と放送開始日時の差の時間、
・終了時刻１０２０４は、予め定めた値（００００，００，００，００：００等）、
・テキスト情報１０２０５は、メッセージの内容、
・関連情報リンク先１０２０６は、メッセージ中に記述がある場合はその情報
【００３４】
また、メタ情報配信サーバー６は、メタ情報ヘッダ１０１０のメタ情報個数１０１０５をカウントアップする。
メタ情報配信サーバー６は、メッセージの取得を、番組が終了するまで続ける（Ｓ１１０）。
【００３５】
［番組関連のメタ情報の保存処理の他の実施の形態］
図１４に、番組関連のメタ情報の保存処理の他の実施の形態についてのフローチャートを示す。
以上の説明では、放送前・放送後に関連情報を取得し、放送中（放送後）にメッセージを取得する場合について説明したが、図示のように、ステップＳ１０７及び／又はＳ１１０を省略して、メタ情報配信サーバー６は、放送前・放送中・放送後の適宜のタイミングで、メタ情報問合せを送信し（Ｓ１０３）、ＳＮＳや番組サイト７から関連情報応答（Ｓ１０５）及び／又はメッセージ応答（Ｓ１０８）を受信して、保存するようにしてもよい。なお、各ステップ番号の処理は、図３と同様である。
【００３６】
３．コンテンツ再生時のメタ情報表示処理
［蓄積されたコンテンツを再生する手順］
コンテンツ録画再生装置１は、コントローラー１１の制御にて、表示制御部１４を介し、操作メニューを表示装置２に表示することが出来る。表示装置２はモニターのように録画装置からの映像信号や音声信号を受信して表示するものや、録画装置１に内蔵された液晶やＬＥＤの操作画面などがある。ユーザーが操作部１６により操作メニューから、メモリ部１２に蓄積されたコンテンツを選択し、再生操作をすると、表示装置２にコンテンツが表示される。
【００３７】
［メタ情報の表示］
図４に、コンテンツ再生時のメタ情報表示処理についてのフローチャートを示す。
無線端末３は、再生操作（Ｓ２０１）の際には、予め「録画コンテンツ一覧を要求」を、コンテンツ録画再生装置１へ通知する。コンテンツ録画再生装置４は、これに応答して、「録画コンテンツ一覧を送信」を無線端末３へ通知する。この「録画コンテンツ一覧を送信」では、番組コードと図５の内容（一覧時の情報表示のため）が送信される。無線端末３は、再生操作（Ｓ２０１）では、録画コンテンツ一覧から再生したいコンテンツを選択し、再生開始位置を決める。
無線端末３にて、再生操作が行われる（Ｓ２０１）と、無線端末３は、コンテンツ録画再生装置１に対して、番組ＩＤと再生開始時刻（番組の最初からの相対時刻）を含む再生開始要求を送信して任意の録画コンテンツの再生を要求する（Ｓ２０２）。
コンテンツ録画再生装置１は、再生開始要求に含まれる番組ＩＤと再生開始時刻（相対時刻）を取得し（Ｓ２０３）、番組ＩＤと再生開始時刻（相対時刻）を含むメタ情報要求１１をメタ情報配信サーバー６に送信する（Ｓ２０４）。
なお、コンテンツ録画装置１から直接再生操作を行うようにしてもよい。また、無線端末３からは、再生開始時刻を含まず番組ＩＤを含む再生開始要求を送信するようにしてもよく、この場合、再生開始時刻は、コンテンツ録画再生装置１が付加する。
【００３８】
図１１に、メタ情報要求１１のフォーマットの説明図を示す。
メタ情報要求１１には、図１１で示すように、番組ＩＤ１１０２、番組中のどの時点に対応したメタ情報を採取するか再生開始時刻１１０４、最大容量（データの個数・量等）１１０５を含む。最大容量１１０５は、コンテンツ録画再生装置１のメモリ容量などに対応するためであり、１回に送信出来ない量のメタ情報が存在する場合には、再生位置が進む度に該当する時間のメタ情報を取得する。
メタ情報配信サーバー６は、メタ情報要求１１に含まれる番組ＩＤ１１０２により番組メタ情報１０（メタ情報１０２０）を検索する。メタ情報配信サーバー６は、検索された番組情報１０のメタ情報１０（メタ情報１０２０）から、メタ情報要求１１に含まれる再生開始時刻（相対時刻）及び再生開始時刻以降の番組終了時刻等の所定時間範囲までに該当するメタ情報１０２０を検索して、メタ情報配信サーバー６内部にある関連情報や、その時刻にＳＮＳや番組サイトに投稿されたメッセージを検索する（Ｓ２０５）。メタ情報配信サーバー６は、検索された関連情報やメッセージをメタ情報として含み、メタ情報ヘッダを付加した抽出番組メタ情報を作成し、コンテンツ録画再生装置１に送信する（Ｓ２０６）。メタ情報配信サーバー６から送信される抽出番組メタ情報は、図８と同様のフォーマットとなる。
コンテンツ録画再生装置１は、抽出番組メタ情報を受信し、再生映像とともに、取得した抽出番組メタ情報に基づき、メタ情報を再生映像と同期させて、表示装置２へ表示する（Ｓ２０７）。例えば、コンテンツ録画再生装置１は、抽出番組メタ情報に基づき、再生映像とともに、メタ情報中の関連情報を表示装置２へ表示し、メタ情報中のメッセージを時刻情報に応じて再生画像に同期させて表示装置２へ表示する。なお、このとき関連情報の表示エリアと、メッセージの表示エリアを分けてもよい。
【００３９】
また、コンテンツ録画再生装置１は、抽出番組メタ情報を無線端末３へ送信する（Ｓ２０８）。このフォーマットは、図８と同様とすることができる。
無線端末３は、受信した抽出番組メタ情報（関連情報又はメッセージ）を自身の表示部３４に表示させる（Ｓ２０９）。無線端末３は、抽出番組メタ情報に基づき、メタ情報中の関連情報を表示装置２へ表示し、メタ情報中のメッセージを時刻情報に応じて再生画像に同期させて表示装置２へ表示する。なお、このとき関連情報の表示エリアと、メッセージの表示エリアを分けてもよい。また、コンテンツ録画再生装置１は、再生画像も無線端末３へ送信するようにしてもよく、その場合、無線端末３は、再生映像とともに、メタ情報を表示部３４に表示することができる。
【００４０】
図１に、テレビ画面と同期したメッセージ表示機能についての説明図を示す。
図示のように、テレビ１０のディスプレイは、番組／コンテンツの映像表示部１１、メッセージ表示部１２を含む。メッセージ表示部１２に抽出番組メタ情報（関連情報やメッセージ）が表示される。なお、コンテンツ録画再生装置１は、メッセージ表示部１２の抽出番組メタ情報のみを無線端末へ送信し、無線端末３でそれを表示するようにしてもよいし、映像表示部１１の画像とともにメッセージ表示部１２の抽出番組メタ情報を送信して両者を表示するようにしてもよい。
【００４１】
つぎに、もし、視聴者が録画再生している映像に関連したメッセージを発信したい場合は（Ｓ２１０）、無線端末３は、コンテンツ録画再生装置１にメッセージを送信することが出来る（Ｓ２１１）。この追加のメッセージには、番組ＩＤと再生開始時刻（相対時刻）が含まれるデータとなる。
コンテンツ録画再生装置１は、受信した追加のメッセージに従い、図１０のようなメッセージのメタ情報１０２０のフォーマットで、追加メタ情報を作成する（Ｓ２１２）。追加メタ情報としては、メタ情報１０２０のフォーマットに対応して、コンテンツ録画再生装置１により、例えば、次のようにそれぞれ設定される。
・番組ＩＤ１０２０１は、メッセージに含まれる番組ＩＤ、
・情報種別１０２０２は、「メッセージ」を表す識別子、
・開始時刻１０２０３は、メッセージに含まれる再生開始時刻（相対時刻）、
・終了時刻１０２０４は、予め定めた値（００００，００，００，００：００等）、
・テキスト情報１０２０５は、メッセージの内容、
・関連情報リンク先１０２０６は、メッセージ中に記述がある場合はその情報
【００４２】
そして、コンテンツ録画再生装置１は、作成された追加のメッセージの追加メタ情報をメタ情報配信サーバー６に送信する（Ｓ２１３）。
メタ情報配信サーバー６では、追加メタ情報を受信したことをフォーマット等により判別し、受信した追加のメッセージの追加メタ情報を、番組ＩＤに対応する番組メタ情報１０のメタ情報１０２０に追加保存し、メタ情報ヘッダ１０１０のメタ情報個数１０１０５をカウントアップする（Ｓ２１４）。メタ情報配信サーバー６は、このメッセージのメタ情報を、同一番組をその後再生視聴する他の視聴者や、再放送を視聴する視聴者に対し、送信することが出来る。
【産業上の利用可能性】
【００４３】
本発明は、テレビ、パソコン、ラジオ、携帯機器等を利用した様々なコンテンツの録画再生に適用することができる。また、以上では、特に無線端末について説明したが、本発明は、これに限らず適宜の端末に適用することができる。時刻についても、主に相対時刻を用いた実施の形態について説明したが、適宜絶対時刻、時間等を用いた実施の形態にも適用することができる。
本発明のコンテンツ録画再生方法、コンテンツ録画再生システムは、その各手順をコンピュータに実行させるためのコンテンツ録画再生プログラム、コンテンツ録画再生プログラムを記録したコンピュータ読み取り可能な記録媒体、コンテンツ録画再生プログラムを含みコンピュータの内部メモリにロード可能なプログラム製品、そのプログラムを含むサーバ等のコンピュータ、等により提供されることができる。
【符号の説明】
【００４４】
１  コンテンツ録画再生装置
２  表示装置
３  無線端末
４  ネットワーク
５  コンテンツ配信サーバー
６  メタ情報配信サーバー
７  ＳＮＳや番組サイト
１１  コントローラー
１２  メモリ部
１３  ネットワーク通信部
１４  表示制御部
１５  無線通信部
３１  コントローラー
３２  メモリ部
３３  ネットワーク通信部
３４  表示部
３５  無線通信部
３６  操作部
【図１】
0006001293.tif 000002
【図２】
0006001293.tif 000003
【図３】
0006001293.tif 000004
【図４】
0006001293.tif 000005
【図５】
0006001293.tif 000006
【図６】
0006001293.tif 000007
【図７】
0006001293.tif 000008
【図８】
0006001293.tif 000009
【図９】
0006001293.tif 000010
【図１０】
0006001293.tif 000011
【図１１】
0006001293.tif 000012
【図１２】
0006001293.tif 000013
【図１３】
0006001293.tif 000014
【図１４】
0006001293.tif 000015